(57)【要約】【課題】選別部での選別効率や選別精度の向上を図れるようにする。【解決手段】脱穀処理後の処理物に対して選別処理を施す選別部３と、その選別部３での選別後の２番物を揚送して選別部３の選別始端側に還元するスクリュー搬送式の２番還元機構１９とを備えた脱穀装置の２番還元構造において、２番還元機構１９の還元スクリュー３０を外囲する筒壁３２に、還元スクリュー３０で揚送される２番物との摺接で２番物に含まれる穀粒の単粒化を促す多孔部３３を設け、２番還元機構１９に、多孔部３３から筒壁外に漏出した穀粒を筒壁３２に形成した還元口３４に案内して筒壁内に還元する還元経路３５を筒壁３２との間に形成する側壁３６と、２番物に含まれる塵埃を多孔部３３の各孔４１及び側壁３６に形成した排塵口３７を介して機外に流出させる搬送風を生起する起風手段４０とを装備してある。【選択図】        図３
2005013107.tif 000002
【特許請求の範囲】
【請求項１】
脱穀処理後の処理物に対して選別処理を施す選別部と、その選別部での選別後の２番物を揚送して前記選別部の選別始端側に還元するスクリュー搬送式の２番還元機構とを備えた脱穀装置の２番還元構造であって、
前記２番還元機構の還元スクリューを外囲する筒壁に、前記還元スクリューで揚送される２番物との摺接で該２番物に含まれる穀粒の単粒化を促す多孔部を設け、前記２番還元機構に、前記多孔部から筒壁外に漏出した穀粒を前記筒壁に形成した還元口に案内して筒壁内に還元する還元経路を前記筒壁との間に形成する側壁と、前記２番物に含まれる塵埃を前記多孔部の各孔及び前記側壁に形成した排塵口を介して機外に流出させる搬送風を生起する起風手段とを装備してある脱穀装置の２番還元構造。
【請求項２】
前記起風手段を、前記還元スクリューにおける前記多孔部と対向するスクリュー羽根の非搬送面側に一体装備した板体で構成してある請求項１に記載の脱穀装置の２番還元構造。
【請求項３】
前記スクリュー羽根における前記還元口と対向する箇所の外周側部分を切り取ってある請求項１又は２に記載の脱穀装置の２番還元構造。
【発明の詳細な説明】
【０００１】
【発明の属する技術分野】
本発明は、脱穀処理後の処理物に対して選別処理を施す選別部と、その選別部での選別後の２番物を揚送して前記選別部の選別始端側に還元するスクリュー搬送式の２番還元機構とを備えた脱穀装置の２番還元構造に関する。
【０００２】
【従来の技術】
従来では、選別部による選別後の２番物に対して、２番還元機構に装備した単粒化処理部で枝梗付き穀粒から枝梗を取り除くなどの単粒化処理を施した後、その枝梗やワラ屑などの塵埃の含有率が高い２番物を、その含有率の高い状態のままで選別部の選別始端側に還元して再選別するようにしていた。
【０００３】
【特許文献１】
特開２００１−２７５４７２号公報（段落番号００１４、００１６、００１７、図１−３）
【０００４】
【発明が解決しようとする課題】
選別部は、その選別始端側ほど穀粒含有率の高い処理物が供給されることから、その選別始端側で選別した穀粒を１番物として選別始端側からその下方の１番回収部に漏下させ、その選別始端側から漏下しなかった枝梗付き穀粒や塵埃などの混在物を２番物として選別終端側からその下方の２番回収部に漏下させるように構成されている。
【０００５】
ところが、従来では、塵埃の含有率が高い２番物をそのまま選別部の選別始端側に還元することによって、その選別始端側での処理物の穀粒含有率が低下し、それによって、その選別始端側で穀粒を選別して下方の１番回収部に漏下させることが難しくなり、結果、選別効率や選別精度の低下を招くようになる。
【０００６】
本発明の目的は、選別部での選別効率や選別精度の向上を図れるようにすることにある。
【０００７】
【課題を解決するための手段】
上記の課題を解決するための手段として、本発明では、脱穀処理後の処理物に対して選別処理を施す選別部と、その選別部での選別後の２番物を揚送して前記選別部の選別始端側に還元するスクリュー搬送式の２番還元機構とを備えた脱穀装置の２番還元構造において、前記２番還元機構の還元スクリューを外囲する筒壁に、前記還元スクリューで揚送される２番物との摺接で該２番物に含まれる穀粒の単粒化を促す多孔部を設け、前記２番還元機構に、前記多孔部から筒壁外に漏出した穀粒を前記筒壁に形成した還元口に案内して筒壁内に還元する還元経路を前記筒壁との間に形成する側壁と、前記２番物に含まれる塵埃を前記多孔部の各孔及び前記側壁に形成した排塵口を介して機外に流出させる搬送風を生起する起風手段とを装備してある。
【０００８】
このようにすると、選別部による選別後の２番物を２番還元機構で選別部の選別始端側に還元する際には、還元スクリューで揚送される２番物が筒壁の多孔部に摺接することで、その２番物に対して、枝梗の付いた穀粒から枝梗を取り除くなどの単粒化処理を施すことができ、又、起風手段で生起される搬送風によって、２番物に含まれる比重の軽い枝梗やワラ屑などの塵埃を、多孔部の各孔及び側壁の排塵口を介して機外に排出でき、しかも、多孔部から筒壁外に漏出した穀粒は、還元経路を介して筒壁の還元口から筒壁内に戻すことができる。
【０００９】
つまり、２番還元機構において、穀粒の単粒化を促しながら塵埃の含有率が高い２番物から穀粒ロスを招くことなく塵埃を機外に排除することができ、これによって、選別部の選別始端側には、塵埃の含有率が低下した単粒化穀粒の含有率が高い２番物を還元できる。
【００１０】
その結果、脱穀処理後の処理物のうちの穀粒含有率の高い処理物が供給される選別部の選別始端側に、塵埃の含有率が高い２番物を還元することに起因した選別始端側での穀粒含有率の低下を回避でき、これによって、その選別始端側からその下方に位置する１番回収部への穀粒の漏下を促進させることができ、もって、選別部での選別効率や選別精度の向上を図れる。
【００１１】
本発明をより好適なものにするための手段のうちの一つでは、前記起風手段を、前記還元スクリューにおける前記多孔部と対向するスクリュー羽根の非搬送面側に一体装備した板体で構成してある。
【００１２】
このようにすると、還元スクリューの搬送回転を利用して起風することができ、又、還元スクリューで搬送される２番物のうちの穀粒が板体で叩かれて側壁の排塵口から飛び出すこともない。
【００１３】
従って、起風専用の駆動構造を要することがなく、又、排塵口からの穀粒ロスを回避できることから、構成の簡素化や穀粒回収効率の向上を図れる。
【００１４】
本発明をより好適なものにするための手段のうちの一つでは、前記スクリュー羽根における前記還元口と対向する箇所の外周側部分を切り取ってある。
【００１５】
このようにすると、還元スクリューの還元口側におけるスクリュー羽根と還元口との間に穀粒還元用の隙間が形成され、還元口からの穀粒還元が促進される。
【００１６】
従って、多孔部から筒壁外に漏出した穀粒の還元口からの回収を効率良く行える。
【００１７】
【発明の実施の形態】
図１にはコンバインに搭載される脱穀装置の縦断側面が、図２にはその一部縦断正面が示されており、この脱穀装置は、その左側部に配備されたフィードチェーン１により横向き姿勢で挾持搬送される刈取穀稈の穂先側に対して脱穀処理を施す脱穀部２、脱穀部２からの脱穀処理後の処理物に対して選別処理を施す選別部３、及び、選別部３にて選別された処理物のうちの１番物と２番物とを回収する回収部４、などによって構成されている。
【００１８】
脱穀部２は、前後向きの軸心周りに回転駆動される扱胴５、扱胴５の下部に沿って敷設された受網６、及び、受網６の後方に形成された送塵口７、などによって構成され、扱胴５と受網６との間でフィードチェーン１によって挾持搬送される刈取穀稈から穀粒を分離して単粒化し、その単粒化した穀粒とともに枝梗付きの穀粒やワラ屑などを受網６から選別部３に向けて漏下させるとともに、受網６から漏下しなかった枝梗付きの穀粒やワラ屑などを送塵口７から選別部３に放出する。
【００１９】
選別部３は、受網６の下方に装備された揺動選別機構８、揺動選別機構８の前下方に配設された唐箕９、揺動選別機構８と唐箕９の間に配備された第１副唐箕１０、及び、揺動選別機構８の前後中間下方に配備された第２副唐箕１１、などによって構成され、揺動選別機構８が、その後部に配設された偏心式駆動機構１２の作動で揺動駆動されることで脱穀部２からの処理物に対して篩い選別を施し、唐箕９及び各副唐箕１０，１１が揺動選別機構８に向けて選別風を供給することで、揺動選別機構８にて篩い選別される処理物に対して風力選別を付加する。そして、これらの選別作動によって、脱穀部２からの処理物を、１番物としての穀粒と、２番物としての枝梗付き穀粒と塵埃との混在物と、３番物としての枝梗やワラ屑などの塵埃とに選別する。
【００２０】
尚、図１に示す符号１３は、送塵口７から選別部３に放出された枝梗付き穀粒などにほぐし作用を付与する拡散胴であり、符号１４は、塵埃を吸引して機外に排出する排塵ファンである。
【００２１】
回収部４は、揺動選別機構８の選別始端側である前部側の下方に配備された１番回収部１５や、揺動選別機構８の選別終端側である後部側の下方に配備された２番回収部１６、などによって構成され、１番回収部１５は、選別部３で選別処理された処理物のうちの穀粒（１番物）を回収し、その回収した穀粒を、その底部に左右向きに配備された１番スクリュー１７によって、その右端に接続された図外の揚送コンベヤに向けて搬送する。２番回収部１６は、選別部３で選別処理された処理物のうちの混在物（２番物）を回収するとともに、その回収した混在物を、その底部に左右向きに配備された２番スクリュー１８によって、その右端に接続された２番還元機構１９に向けて搬送する。
【００２２】
ちなみに、揚送コンベヤは、１番スクリュー１７で搬送された穀粒（１番物）を揚送して、脱穀装置の右側方に並設された図外の穀粒タンクに供給し、２番還元機構１９は、２番スクリュー１４で搬送された混在物（２番物）を揚送して揺動選別機構８の選別始端側に還元する。
【００２３】
揺動選別機構８は、受網６の前半部から漏下した処理物を受け止めて比重差選別しながら後方に向けて移送する第１グレンパン２０、第１グレンパン２０で移送された処理物や受網６の後半部から漏下した処理物などの中から穀粒などを粗選別して漏下させるとともに残りの処理物を後方に向けて移送するチャフシーブ２１、送塵口７から排出された処理物を受け止めて比重差選別しながら後方に向けて移送する補助グレンパン２２、補助グレンパン２２で移送された処理物の中から枝梗付き穀粒などを篩い選別して漏下させるとともに残りの処理物を後方に向けて移送する複数の篩線２３、チャフシーブ２１で移送された処理物などの中から枝梗付き穀粒などを篩い選別して２番回収部１６に漏下させるとともに残りの処理物を後方に向けて移送して揺動選別機構８の後方に形成した排塵口２４から機外に排出するストローラック２５、チャフシーブ２１の前部側から漏下した処理物を受け止めて比重差選別しながら後方に向けて移送する第２グレンパン２６、及び、第２グレンパン２６で移送された処理物とチャフシーブ２１の後部側から漏下した処理物との中から穀粒を精選別して漏下させるとともに残りの処理物を後方に向けて移送するグレンシーブ２７、などによって構成されている。
【００２４】
図１〜６に示すように、２番還元機構１９は、２番スクリュー１４で搬送された２番物に対して枝梗付き穀粒から枝梗を取り除くなどの単粒化処理を施す単粒化処理部２８や、その単粒化処理部２８による単粒化処理後の２番物を揚送して選別部３の選別始端側である揺動選別機構８の第１グレンパン２０上に還元する還元搬送部２９、などから構成されている。
【００２５】
還元搬送部２９は、単粒化処理部２８から脱穀部２にわたって立設された還元スクリュー３０、還元スクリュー３０の上端部に備えた放てき板３１、及び、還元スクリュー３０を外囲する筒壁３２、などから構成されている。
【００２６】
筒壁３２の右外側面には、目合いが１０ミリメートル程度に設定されたクリンプ網などからなる多孔部３３が着脱可能に設けられており、還元スクリュー３０で揚送される２番物が多孔部３３に摺接することで、単粒化処理部２８では単粒化しなかった枝梗付き穀粒の単粒化を促すことができる。
【００２７】
筒壁３２には、多孔部３３から筒壁外に漏出した穀粒を、筒壁３２における多孔部３３の下方に形成した還元口３４に案内して筒壁内に還元する還元経路３５を筒壁３２との間に形成する側壁３６が着脱可能に装備され、側壁３６には複数の排塵口３７が形成されている。
【００２８】
２番還元機構１９には、還元スクリュー３０のスクリュー羽根３８における多孔部３３と対向する箇所の非搬送面側に一体装備した３枚の板体３９からなる起風手段４０が装備されており、この起風手段４０は、還元スクリュー３０の搬送回転に伴って、２番物に含まれる枝梗やワラ屑などの塵埃を多孔部３３の各孔４１及び側壁３６の各排塵口３７を介して機外に流出させる搬送風を生起する。
【００２９】
側壁３６には、その各排塵口３７から流出した塵埃を下方に案内する外壁４２が一体装備され、この外壁４２によって、各排塵口３７から流出した塵埃の拡散を防止できる。
【００３０】
スクリュー羽根３８は、その還元口３４と対向する箇所の外周側部分が切り取られており、これによって、還元スクリュー３０の還元口側におけるスクリュー羽根３８と還元口３４との間に穀粒還元用の隙間４３が形成され、還元口３４からの穀粒還元が促進される。
【００３１】
以上の構成から、選別部３による選別後の２番物を２番還元機構１９で揺動選別機構８の第１グレンパン２０上に還元する際には、２番スクリュー１４からの２番物が単粒化処理部２８に供給され、その単粒化処理部２８からの２番物が還元スクリュー３０で揚送される際に筒壁３２の多孔部３３に摺接することで、その２番物の単粒化処理を効果的に行うことができ、又、還元スクリュー３０の回転に伴って起風手段４０で生起される搬送風により、２番物に含まれる比重の軽い枝梗やワラ屑などの塵埃を、多孔部３３の各孔４１、側壁３６の各排塵口３７、及び外壁４２を介して、機体下方の機外に排出できるとともに、多孔部３３の各孔４１から筒壁外に漏出した穀粒を、還元経路３５を介して筒壁３２の還元口３４から筒壁内に戻すことができる。
【００３２】
つまり、２番還元機構１９において、穀粒の単粒化を効果的に行いながら塵埃の含有率が高い２番物から穀粒ロスを招くことなく塵埃を機外に排除することができ、これによって、脱穀処理後の処理物のうちの穀粒含有率の高い処理物が供給される揺動選別機構８の第１グレンパン２０上に、塵埃の含有率を低下させ、単粒化穀粒の含有率を高めた２番物を還元でき、揺動選別機構８の選別始端側となるチャフシーブ２１及びグレンシーブ２７から、その下方に位置する１番回収部１５への穀粒の漏下を促進させることができ、もって、選別部３での選別効率や選別精度の向上を図れる。
【００３３】
しかも、還元スクリュー３０の搬送回転を利用して起風することで、起風専用の駆動構造を不要にできることから、２番還元機構１９での起風に関する構成の簡素化を図ることができ、又、起風手段４０を構成する各板体３９をスクリュー羽根３８の非搬送面側に装備することから、還元スクリュー３０で搬送される２番物のうちの穀粒が各板体３９で叩かれて側壁３６の各排塵口３７から飛び出す、といった穀粒ロスの発生を回避でき、穀粒回収効率の向上を図れる。
【００３４】
そして、筒壁３２から外壁４２、側壁３６、及び多孔部３３を取り外すことで、還元スクリュー３０の横側方を部分的に開放でき、還元スクリュー３０に対する清掃などのメンテナンスが行い易くなる。
【００３５】
〔別実施形態〕
以下、本発明の別実施形態を列記する。
〔１〕２番還元機構１９としては、単粒化処理部２８を装備しないものであってもよい。
【００３６】
〔２〕多孔部３３として、目合いが１０ミリメートル程度に設定された樹脂網などを採用してもよい。
【００３７】
〔３〕起風手段４０を構成する板体３９の数量は種々の変更が可能である。
【００３８】
〔４〕起風手段４０としてブロワを装備するようにしてもよい。
【００３９】
〔５〕図７〜９に示すように、２番還元機構１９に、還元スクリュー３０で揚送された２番物を、揺動選別機構８の上方で揺動選別機構８の選別始端側となる第１グレンパン２０に向けて横送り搬送する横スクリュー４４と、この横スクリュー４４に外嵌する断面六角形状で長手方向に３分割可能な外囲壁４５とからなる横送り搬送部４６、及び、その横送り搬送部４６の搬送終端に連接される単粒化放出部４７を備え、外囲壁４５を、横スクリュー４４で横送り搬送される２番物との摺接で、２番物に含まれる枝梗付き穀粒の単粒化を促すとともに、単粒化した穀粒の選別部３への漏下を許容するように、目合いが１２ミリメートル以下に設定されたクリンプ網などによって多孔壁に形成してもよい。
【００４０】
このようにすると、還元スクリュー３０で揚送された２番物を横送り搬送する際や、第１グレンパン２０に向けて放出する直前においても、その２番物に対して単粒化処理を施すことができ、又、単粒化した穀粒を、揺動選別機構８の選別始端側となる第１グレンパン２０やチャフシーブ２１に漏下させることができ、結果、選別精度や穀粒回収効率の向上を更に図ることができる。
【００４１】
又、外囲壁４５を、その断面形状が六角形状で、その長手方向に３分割可能な構造としたことで、クリンプ網などで形成されるものでありながら高い強度を確保できる。
【００４２】
尚、この構成においては、外囲壁４５を、樹脂網などによって多孔壁に形成してもよく、又、横送り搬送部４６の長さなどに応じて、外囲壁４５の分割数を変更してもよい。更に、横送り搬送部４６の搬送終端に、単粒化放出部４７に代えて単粒化処理機能を備えない放出部を備えるようにしてもよい。
【図面の簡単な説明】
【図１】脱穀装置の縦断側面図
【図２】脱穀装置の一部縦断正面図
【図３】２番還元機構の構成を示す要部の縦断正面図
【図４】２番還元機構の構成を示す要部の分解斜視図
【図５】２番還元機構における多孔部付近の構成を示す要部の横断平面図
【図６】２番還元機構における還元口付近の構成を示す要部の横断平面図
【図７】別実施形態での２番還元機構の構成を示す要部の一部縦断側面図
【図８】別実施形態での横送り搬送部付近の構成を示す要部の縦断正面図
【図９】別実施形態での単粒化放出部付近の構成を示す要部の縦断正面図
【符号の説明】
３    選別部
１９  ２番還元機構
３０  還元スクリュー
３２  筒壁
３３  多孔部
３４  還元口
３５  還元経路
３６  側壁
３７  排塵口
３８  スクリュー羽根
３９  板体
４０  起風手段
４１  孔
【図１】
2005013107.tif 000003
【図２】
2005013107.tif 000004
【図３】
2005013107.tif 000005
【図４】
2005013107.tif 000006
【図５】
2005013107.tif 000007
【図６】
2005013107.tif 000008
【図７】
2005013107.tif 000009
【図８】
2005013107.tif 000010
【図９】
2005013107.tif 000011